(57)【要約】【課題】大容量化と低重心化に対応しながらも不所望な打音成分の発生が抑えられたゴルフクラブヘッドを提供する。【解決手段】ゴルフクラブヘッド２０は中空の外郭本体２２を有し、外郭本体２２は、少なくともフェース部２４と、クラウン部２６と、フェース部２４よりも肉厚が薄いソール部３０を有している。ソール部３０には、外郭本体２２の重心Ｇよりも後方の個所に重量集中部４０が設けられている。外郭本体２２の内部のソール部３０には樹脂層５０が設けられており、樹脂層５０は少なくともその一部が重量集中部４０に接触している。【選択図】図３
2013183972.tif 000002
【特許請求の範囲】
【請求項１】
少なくともフェース部とクラウン部と前記フェース部よりも肉厚が薄いソール部を有する中空の外郭本体と、
前記外郭本体の重心よりも後方の前記ソール部に重量集中部を設けたゴルフクラブヘッドにおいて、
前記外郭本体の内部の前記ソール部に樹脂層を設けると共に、前記樹脂層は少なくともその一部が前記重量集中部に接触していることを特徴とするゴルフクラブヘッド。
【請求項２】
前記重量集中部は、前記ソール部に該ソール部の材料と比重が同じかこれよりも比重が大きい材料からなる重量体が取り付けられて形成されていることを特徴とする請求項１に記載のゴルフクラブヘッド。
【請求項３】
前記樹脂層は、前記重量集中部から前記ソール部に沿って前記フェース部まで延設されていることを特徴とする請求項１または２に記載のゴルフクラブヘッド。
【請求項４】
前記樹脂層の肉厚は前記フェース部の肉厚よりも薄いことを特徴とする請求項１ないし３のいずれかひとつに記載のゴルフクラブヘッド。
【請求項５】
前記樹脂層は、前記フェース部の打球面にせり上がって接触していることを特徴とする請求項３または４に記載のゴルフクラブヘッド。
【請求項６】
少なくともフェース部とソール部とクラウン部を有する中空の外郭本体と、
前記ソール部に設けられた重量集中部と、
前記外郭本体の内部かつ前記ソール部に設けられた樹脂層を備え、
前記ソール部は、その中央を含む中央部と、前記中央部を囲む周辺部を有し、前記周辺部は前記中央部よりも単位投影面積当たりの重量が大きく、
前記重量集中部は、少なくとも一部が前記中央部に位置しており、
前記樹脂層は、前記中央部に位置し、少なくとも一部が前記重量集中部に接触しており、その肉厚は前記フェース部の肉厚よりも薄いことを特徴とするゴルフクラブヘッド。
【請求項７】
前記周辺部が前記中央部よりも肉厚に形成されていることを特徴とする請求項６に記載のゴルフクラブヘッド。
【請求項８】
ソール部に重量集中部が設けられ、前記重量集中部に接触して樹脂層が設けられていることを特徴とするゴルフクラブヘッド。
【発明の詳細な説明】
【技術分野】
【０００１】
本発明は、ゴルフクラブヘッドに関する。
【背景技術】
【０００２】
近年のウッドタイプのゴルフクラブヘッドは大容量化と低重心化が進められる傾向にある。その一方において、適正なスイングバランスを維持するために、ゴルフクラブヘッドの重量は変えないことが望まれる。これらの要望に対応するため、ある種のゴルフクラブヘッドでは、大容量化のためにゴルフクラブヘッドの中空の外郭本体の厚さが低減され、低重心化のためにソール部に重量集中部が設けられている。
【０００３】
また、ゴルフクラブヘッドの製造では、溶接などの作業の際に、細かな金属片が発生することが多々ある。ゴルフクラブヘッドの内部に残った金属片は自由に移動できるため、異音を発生させる原因になる。このような異音の発生を防止するために、ゴルフクラブヘッドの内部にホーゼル孔を通じて樹脂などの粘着性物質を注入し、ゴルフクラブヘッド内のヒールやソールのリーディングエッジ近傍に配し、この粘着性物質に金属片を付着させる技術が知られている。
【先行技術文献】
【特許文献】
【０００４】
【特許文献１】特開２００５−２３０４５５号公報
【特許文献２】特開２０１１−１２５５４０号公報
【発明の概要】
【発明が解決しようとする課題】
【０００５】
また、ゴルフクラブには、ボールの飛距離や方向性の良さのほかに、打音や打感の心地良さも求められる。ソール部に重量集中部が設けられたゴルフクラブヘッドでは、重量集中部の周辺において重量分布が急激に変化している。このため、重量集中部の周辺のソール部の振動が不所望な打音成分（雑音）を発生させ、いわゆるゴルファーが言う「いやな音」、「大きな音」、「高い音」になることがある。このような不所望な打音成分の発生は、ゴルフクラブヘッドの大容量化のためにソール部の厚さが薄くなるほど顕著になる傾向がある。
【０００６】
本発明の目的は、大容量化と低重心化に対応しながらも不所望な打音成分の発生が抑えられたゴルフクラブヘッドを提供することである。
【課題を解決するための手段】
【０００７】
本発明によるゴルフクラブヘッドは中空の外郭本体を有し、外郭本体は、少なくともフェース部と、クラウン部と、フェース部よりも肉厚が薄いソール部を有している。ソール部には、外郭本体の重心Ｇよりも後方の個所に重量集中部が設けられている。外郭本体の内部のソール部には樹脂層が設けられており、樹脂層は少なくともその一部が重量集中部に接触している。
【発明の効果】
【０００８】
本発明によれば、大容量化と低重心化に対応しながらも不所望な打音成分の発生が抑えられたゴルフクラブヘッドが提供される。
【図面の簡単な説明】
【０００９】
【図１】実施形態に係るゴルフクラブを示している。
【図２】図１のゴルフクラブヘッドをフェース部側から見た平面図である。
【図３】図１のゴルフクラブヘッドをクラウン部側から見た部分断面図であり、図２のＡ−Ａ線に沿った断面の一部を示している。
【図４】図１のゴルフクラブヘッドをトゥ側から見た縦断面図であり、図３のＢ−Ｂ線に沿った断面を示している。
【図５】図４の重量集中部を拡大して示している。
【図６】一構造例に係る図４のフェース部周辺を拡大して示している。
【図７】別の構造例に係る図４のフェース部周辺を拡大して示している。
【図８】重量集中部の変形例を示している。
【図９】重量集中部の別の変形例を示している。
【図１０】重量集中部のまた別の変形例を示している。
【発明を実施するための形態】
【００１０】
以下、図面を参照しながら本発明の実施形態について説明する。
【００１１】
図１に、実施形態に係るゴルフクラブ１０を示す。ゴルフクラブ１０は、たとえばウッドクラブであり、ゴルフクラブヘッド２０と、ゴルフクラブヘッド２０に接続されたシャフト１２と、ゴルフクラブヘッド２０の反対側のシャフト１２の端部に設けられたグリップ１４とを備えている。ゴルフクラブ１０は、ドライバーやフェアウェイウッドやユーティリティであってよい。シャフト１２は、繊維強化樹脂製やスチール製であってよい。グリップ１４は、ゴムなどの柔軟部材で形成されている。
【００１２】
図１に示されたゴルフクラブヘッド２０を図２〜図５に示す。ゴルフクラブヘッド２０は、ボールを打つためのフェース部２４と、上側に位置するクラウン部２６と、クラウン部２６の下側に位置するソール部３０と、シャフト１２（図１参照）が接続されるホーゼル部２８を備えている。ここで、上下の位置関係は、ゴルフクラブヘッド２０が適正なライ角とロフト角で配置された状態を想定している。フェース部２４とクラウン部２６とソール部３０とホーゼル部２８は互いに接続されており、中空の外郭本体２２を構成している。この外郭本体２２は、たとえば、金属製であり、チタン合金やステンレス合金で形成される。外郭本体２２はまた、少なくともフェース部２４とソール部３０が金属で形成されていればよく、たとえばその他は繊維強化樹脂で形成されてもよい。ゴルフクラブヘッド２０は、ボールを打ったフェース部２４に対し、クラウン部２６やソール部３０は肉薄に形成され、たとえば、容積が２００〜５００ｃｃであり、重量が１５０〜２５０ｇである。ソール部３０は、フェース部２４よりも薄肉であり、特には、フェース部２４の中央部よりも薄肉であればよい。ソール部３０は、少なくとも重量集中部４０からフェース部２４までの間に連続してフェース部２４よりも薄肉の部分が形成されていれば、その他にフェース部２４よりも厚肉の部分があってもよい。
【００１３】
ソール部３０は、ソール中央を含む中央部３２と、中央部３２周りに位置する周辺部３４を有している。周辺部３４は、中央部３２のトゥ側とヒール側とバック側に位置している。周辺部３４は、中央部３２に比べて多くの段差を有している。その結果、周辺部３４は、中央部３２よりも単位投影面積当たりの剛性が大きく、また重量が大きい。このような周辺部３４は、ゴルフクラブヘッド２０の振動を抑制し、また慣性モーメントを増大させる働きをし、フェース部２４の中心を外してボールをたたいたときのゴルフクラブヘッド２０の不所望な回転を抑える効果がある。ここで、単位投影面積当たりの剛性、重量とは、ゴルフクラブヘッド２０が適正なライ角とロフト角で配置された状態において地面に相当する平面に投影した重量分布における単位面積当たりの剛性、重量を意味している。この実施形態では、周辺部３４に段差を設けることによって周辺部３４の剛性、重量増加を図っているが、段差を設ける代わりに、中央部３２に比べて多くのリブを設けることによって周辺部３４の剛性、および重量増加を図ってもよい。または、中央部３２に比べて周辺部３４を肉厚に形成することによって周辺部３４の剛性、重量増加を図ってもよい。
【００１４】
ソール部３０には、重量集中部４０が設けられている。重量集中部４０は、外郭本体２２の重心Ｇよりも後方（バック側）に設けられ、ゴルフクラブヘッド２０の重心を低くし、重心を深くする働きをする。重量集中部４０は、主に周辺部３４に位置し、一部が中央部３２に位置している。重量集中部４０は、外郭本体２２のソール部３０とは別体のウェイト（重量体）４２と、ウェイト４２をソール部３０に固定している溶接部４４から構成され、ウェイト４２はソール部３０に対し内側に突出して配されている。ウェイト４２は、たとえば、タングステン合金やステンレス合金やチタン合金で構成されている。ウェイト４２は、たとえば、ソール部３０を構成している物質と比重が同じかこれよりも比重が大きい。この実施形態では、重量集中部４０は、一部が中央部３２に位置しているが、全体が中央部３２に位置していてもよい。すなわち、重量集中部４０は、少なくとも一部が中央部３２に位置していればよい。
【００１５】
なお、重量集中部４０は外郭本体２２の重心Ｇよりも後方に設けるが、これは重量集中部４０の全体が重心Ｇよりも後方に位置する他に、重量集中部４０の重心４０Ｇが重心Ｇよりも後方になっていればよい。
【００１６】
外郭本体２２の内部に樹脂層５０が設けられている。樹脂層５０は、ソール部３０の中央部３２に位置している。樹脂層５０は、粘弾性を有し、ソール部３０に粘着し、密着して設けられる。常温では流動性がないが、常温よりも高い温度たとえば５０℃（好ましくは８０℃）を超える温度では流動性がある。樹脂層５０は、たとえば、アクリル系樹脂で構成されてよい。樹脂層５０は、ソール部３０の内面に沿って設けられ、その厚さは、外郭本体２２の最も厚い部分であるフェース部２４の肉厚よりも小さい。樹脂層５０は重量集中部４０の近傍のソール部３０に配されているとともに、その一部は、重量集中部４０に接触している。樹脂層５０は、重量集中部４０側よりもフェース部２４側の方がトウ・ヒール方向に広く形成されている。また樹脂層５０の一部は、ウェイト４２と周辺部３４の段差の間に形成された隙間に入り込んでいる。このようにソール部３０とソール部３０に取り付けたウェイト４２との間の隙間に樹脂層５０が介在すると、その隙間で発生する振動が抑えられビリ音などの雑音の発生が抑制される。樹脂層５０の別の一部は、ソール部３０の内面に沿って前方に延設され、ソール部３０全体の振動を抑制しながらフェース部２４に接触し打球するフェース部２４の振動を直接抑制している。さらに、図４に示すように、樹脂層５０は、フェース部２４の打球面部２４ａに接触して上方にせり上がるように付着した打球面延設部５０ｄを有している。これにより、打球による打球面部２４ａの振動を抑制するため、事前にソール部３０に伝達される振動を小さくできる。樹脂層５０は、ソール部３０とフェース部２４の振動を抑制する働きをする。樹脂層５０は、重量集中部４０のフェース部２４側のソール部３０に配されているが、重量集中部４０を囲むように設けるとより振動が抑制される。
【００１７】
従来のゴルフクラブで打球するとフェースの振動が薄肉のソールに伝達され、このソールの振動によって重量集中部とその周辺のソール部が、伝達された上記ソールの振動と異なるより大きな振幅で振動し雑音が発生するが、本願のゴルフクラブヘッド２０では打球すると、樹脂層５０の打球面延設部５０ｄにより直接打球面部２４ａの振動を抑制し、樹脂層５０はフェース部２４まで延設され接しているため、フェース部２４からソール部３０に伝達される振動を抑制する。
【００１８】
さらに、樹脂層５０は、重量集中部４０からソール部３０に沿ってフェース部２４まで設けられているため、フェース部２４より薄肉のソール部３０の振動を抑制し、その一部が重量集中部４０近傍のソール部３０から重量集中部４０に接触して付着しているため、重量集中部４０の大きな振幅の振動を抑制して雑音の発生を防止することができる。
【００１９】
このような樹脂層５０は、外郭本体２２内にホーゼル部２８の開口や外郭本体２２に形成された他の開口から樹脂材料を注入し、ソール部３０の内面に付着させ、高温環境下において樹脂材料を流動させて広げることによって形成される。このような樹脂層５０の形成は、樹脂材料の重量、環境温度、ゴルフクラブヘッド２０の姿勢などによって制御される。
【００２０】
なお、樹脂層５０はソール部３０に沿ってフェース部２４の肉厚よりも薄く形成されて広がっているが、ソール部３０全面に形成されていなくても一部でもよく、また、肉厚が不均一であったり塊状に形成されたりしてもよい。
【００２１】
これまでの説明では、外郭本体２２においてフェース部２４が占める部分が漠然としているが、これを明確にするため、この明細書では、フェース部とソール部の境界とフェース部とクラウン部の境界を次のように定める。フェース部とソール部の境界は、フェース近傍のソール部からフェース部に向かった場合に、ソール部の厚さが増加する個所からフェース部とする。フェース部とクラウン部の境界は、フェース近傍のクラウン部からフェース部に向かった場合に、クラウン部の厚さが増加する個所からフェース部とする。
【００２２】
以下、図６と図７を参照しながら、外郭本体の代表的な二種類の構造例に関連づけて、外郭本体においてフェース部２４が占める部分について説明する。
【００２３】
図６に示す構造例では、ゴルフクラブヘッド２０の外郭本体６０は、フェース部２４の大部分を構成するフェース部材６２と、これが取り付けられる外郭本体主要部６４から構成されている。この外郭本体主要部６４は、クラウン部２６とソール部３０に加えて、フェース部の残りの部分を包含しており、フェース部材６２がはめ込まれる開口を有している。外郭本体６０は、外郭本体主要部６４の開口にフェース部材６２をはめ込み溶接することによって形成されている。フェース部材６２は、溶接部６６によって外郭本体主要部６４に固定されている。
【００２４】
この構造例のゴルフクラブヘッド２０では、フェース部２４とソール部３０の境界Ｘは、外郭本体主要部６４の厚さ変化部６４ｂであり、厚さ変化部６４ｂは、フェース部２４がソール部３０に向かって肉厚を減じる部分で、ソール部３０に連続しているが、フェース部２４に含まれる。同様に、フェース部２４とクラウン部２６の境界は、外郭本体主要部６４の厚さ変化部６４ｄである。つまり、フェース部２４は、フェース部材６２と、溶接部６６と、厚さ変化部６４ｂと、リーディングエッジＬを介して厚さ変化部６４ｂよりもフェース部材６２の側にある外郭本体主要部６４の打球面に面した部分６４ａと、厚さ変化部６４ｄと、厚さ変化部６４ｄよりもフェース部材６２の側にある外郭本体主要部６４の部分６４ｃから構成されている。樹脂層５０は、厚さ変化部６４ｂまで広がっており、したがって、フェース部に接触している。
【００２５】
図７に示す構造例では、ゴルフクラブヘッド２０の外郭本体７０は、カップ状のフェース部材７２と、これが取り付けられる外郭本体主要部７４から構成されている。外郭本体７０は、外郭本体主要部７４にフェース部材７２を溶接することによって形成されている。
【００２６】
この構造例のゴルフクラブヘッド２０では、フェース部とソール部の境界は、断面コ字状のフェース部材７２と外郭本体主要部７４のつなぎ目に肉盛されて形成された溶接部７６ａであり、フェース部とクラウン部の境界は、フェース部材７２と外郭本体主要部７４のつなぎ目に形成された溶接部７６ｂである。すなわち、フェース部材７２の全体と溶接部７６ａ，溶接部７６ｂがフェース部である。この場合、樹脂層５０は、少なくとも溶接部７６ａに接触していれば、フェース部に接触していることになる。実際、樹脂層５０は、溶接部７６ａを超えて広がっている。
【００２７】
以下、図８〜図１０を参照しながら、重量集中部の変形例について説明する。
【００２８】
図８に示す重量集中部４０Ａは、外郭本体のソール部３０とは別体のウェイト４２と溶接部４４から構成されており、ウェイト４２は、ソール部３０に形成された凹部８２内に配置され、溶接部４４によってソール部３０に固定されている。樹脂層５０の一部５０ａは、ウェイト４２と凹部８２の隙間を埋めている。つまり、樹脂層５０は重量集中部４０Ａ近傍のソール部３０に設けられているとともに重量集中部４０Ａに接触している。
【００２９】
図９に示す構成例では、ソール部３０に形成された筒部８４の内側に配置され、溶接部４４によってソール部３０の内側に突出する筒部（ウェイト支持部）８４に固定されている。この構成例の重量集中部４０Ｂは、ウェイト４２と溶接部４４と筒部８４から構成されている。樹脂層５０の一部５０ｂは、筒部（ウェイト支持部）８４に接触し、これに付着し、凹部８２の周囲まで広がっている。つまり、樹脂層５０は重量集中部４０Ｂに接触している。
【００３０】
図１０に示す重量集中部４０Ｃは、スクリュー式ウェイト８８と、スクリュー式ウェイト８８を固定するためにソール部に設けられたねじ穴部（ウェイト支持部）８６から構成されている。スクリュー式ウェイト８８は、ねじ穴部８６に螺合されることによってソール部３０に固定されている。樹脂層５０の一部５０ｃは、ねじ穴部８６の近傍のソール部３０に設けられているとともにねじ穴部（ウェイト支持部）８６に接触し、これに付着し、ねじ穴部８６の周囲まで広がっている。つまり、樹脂層５０は重量集中部４０Ｃに接触している。
【００３１】
これらのほか、重量集中部は、ソール部３０を部分的に肉厚に形成することによって構成されてもよい。
【００３２】
この実施形態のゴルフクラブヘッド２０では、ソール部３０の中央部３２に樹脂層５０が設けられており、樹脂層５０の一部は重量集中部４０に接触している。樹脂層５０は、重量集中部４０の周辺のソール部３０の振動を抑制する働きをする。
【００３３】
ゴルフクラブヘッド２０から樹脂層５０を省いた構成では、重量集中部４０の周辺において重量分布が急激に変化しているため、重量集中部４０の周辺のソール部３０の振動が不所望な打音成分たとえばビビリ音などの耳障りな音を発生させることがある。このような不所望な打音成分の発生は、ゴルフクラブヘッド２０の大容量化のためにソール部３０の厚さが薄くなるほど顕著になる傾向がある。
【００３４】
前述したように、この実施形態のゴルフクラブヘッド２０では、重量集中部４０に接触している樹脂層５０が重量集中部４０の周辺のソール部３０の振動を抑制するため、このような不所望な打音成分の発生が抑制される。
【００３５】
これまで、図面を参照しながら本発明の実施形態を述べたが、本発明は、これらの実施形態に限定されるものではなく、その要旨を逸脱しない範囲において様々な変形や変更が施されてもよい。ここにいう様々な変形や変更は、上述した実施形態を適当に組み合わせた実施も含む。
【符号の説明】
【００３６】
１０…ゴルフクラブ、１２…シャフト、１４…グリップ、２０…ゴルフクラブヘッド、２２…外郭本体、２４…フェース部、２６…クラウン部、２８…ホーゼル部、３０…ソール部、３２…中央部、３４…周辺部、４０，４０Ａ，４０Ｂ，４０Ｃ…重量集中部、４０Ｇ…重心、４２…ウェイト、４４…溶接部、５０…樹脂層、５０ａ，５０ｂ，５０ｃ…一部、５０ｄ…打球面延設部、６０…外郭本体、６２…フェース部材、６４…外郭本体主要部、６４ａ…部分、６４ｂ…厚さ変化部、６４ｃ…部分、６４ｄ…厚さ変化部、６６…溶接部、７０…外郭本体、７２…フェース部材、７４…外郭本体主要部、７６ａ，７６ｂ…溶接部、８２…凹部、８４…筒部、８６…ねじ穴部、８８…スクリュー式ウェイト、Ｇ…重心、Ｌ…リーディングエッジ、Ｘ…フェース部とソール部の境界。
【図１】
2013183972.tif 000003
【図２】
2013183972.tif 000004
【図３】
2013183972.tif 000005
【図４】
2013183972.tif 000006
【図５】
2013183972.tif 000007
【図６】
2013183972.tif 000008
【図７】
2013183972.tif 000009
【図８】
2013183972.tif 000010
【図９】
2013183972.tif 000011
【図１０】
2013183972.tif 000012